(57)【要約】【課題】赤外線ＬＥＤを複数使用したときに広角の赤外線通信範囲を限定するようにして、環境光により赤外線通信範囲が影響されにくい赤外線通信用発光器を提供すること。【解決手段】半値角±２０度以上の配光特性を有する複数の赤外線ＬＥＤ３を、赤外線ＬＥＤ３全体での赤外線照射角度が±４０度以上となるように外箱１内に配設するとともに、外箱１の前面に、±４０度を超える照射角度の赤外線を反射し透過光量を減衰するフィルタ５を配設する。【選択図】図１
2006238253.tif 000002
【特許請求の範囲】
【請求項１】
半値角±２０度以上の配光特性を有する複数の赤外線ＬＥＤを、該赤外線ＬＥＤ全体での赤外線照射角度が±４０度以上となるように外箱内に配設するとともに、該外箱の前面に、±４０度を超える照射角度の赤外線を反射し透過光量を減衰するフィルタを配設したことを特徴とする赤外線通信用発光器。
【発明の詳細な説明】
【技術分野】
【０００１】
本発明は、赤外線通信用発光器に関し、特に、環境光により赤外線通信範囲が影響されにくい配光を特定し、赤外線通信範囲を限定するようにした赤外線通信用発光器の赤外線ＬＥＤ取付角度に関するものである。
【背景技術】
【０００２】
従来、赤外線通信用発光器に使用される複数個の赤外線ＬＥＤは、赤外線通信用発光器に環境光を計測する回路を設けて、環境光の変化に応じ赤外線通信の光量を変化させるようにした方法、また、環境光の変化による赤外線通信範囲の変化を抑えるために、赤外線受信側に環境光量を計測する回路を設け、環境光の増減により受信した赤外線通信信号の増幅量を変化させて通信を行う方法などが提案されている。
【０００３】
ところで、赤外線通信の受光素子として、フォトダイオードやフォトトランジスタなどがあるが、これらの受光特性は受光量に対して直線的でない。また、赤外線ＬＥＤ単体の発光特性は、図５に示すように、山形特性のため環境光が少ない場合は、図６に示すように環境光が多いときに比べ通信範囲が広がってしまうという特性がある。
【０００４】
しかしながら、環境光の変化に応じ赤外線通信の光量を変化させる方法は、コスト面で不利になるという問題があった。
また、環境光の増減により受信した赤外線通信信号の増幅率を変化させて通信を行う方法は、受信側に環境光を計測する回路を設ける必要があるため、受信器の消費電力が増えるという問題を有していた。
【発明の開示】
【発明が解決しようとする課題】
【０００５】
本発明は、上記従来の赤外線通信用発光器のＬＥＤ取付角度に有する問題点に鑑み、赤外線ＬＥＤを複数使用したときに広角の赤外線通信範囲を限定するようにして、環境光により赤外線通信範囲が影響されにくい赤外線通信用発光器を提供することを目的とする。
【課題を解決するための手段】
【０００６】
上記目的を達成するため、本発明の赤外線通信用発光器は、半値角±２０度以上の配光特性を有する複数の赤外線ＬＥＤを、該赤外線ＬＥＤ全体での赤外線照射角度が±４０度以上となるように外箱内に配設するとともに、該外箱の前面に、±４０度を超える照射角度の赤外線を反射し透過光量を減衰するフィルタを配設したことを特徴とする。
なお、半値角とは、赤外線ＬＥＤの最大出力値が半分の値となる角度のことをいう（一般的には正面が最大出力値になる）。
【発明の効果】
【０００７】
本発明の赤外線通信用発光器によれば、半値角±２０度以上の配光特性を有する複数の赤外線ＬＥＤを、該赤外線ＬＥＤ全体での赤外線照射角度が±４０度以上となるように外箱内に配設するとともに、該外箱の前面に、±４０度を超える照射角度の赤外線を反射し透過光量を減衰するフィルタを配設することから、内蔵している赤外線ＬＥＤ全体での赤外線照射角度が±４０度を超えても、前面のフィルタにより約±４０度の範囲に絞って赤外線通信範囲を限定することができ、これにより、赤外線ＬＥＤの取付角度の誤差による影響を少なくするとともに、赤外線ＬＥＤ単品の配光特性の影響も少なくすることができ、また、前記フィルタの透過特性により、赤外線通信範囲が環境光による影響を受けにくくし、さらに赤外線通信用発光器の構造を簡単にすることができる。
【発明を実施するための最良の形態】
【０００８】
以下、本発明の赤外線通信用発光器の実施の形態を、図面に基づいて説明する。
【０００９】
赤外線ＬＥＤを複数個配列してなる赤外線通信用発光器は、特に限定されるものではないが、例えば、人等の通過を管理するシステムに使用される。
この通過管理システムは、天井面などの固定側に赤外線通信を行うための赤外線通信用発光器を備えたコントローラを配設する一方、作業者等の人や特定位置を通過する車両に、コントローラ側と通信するタグを配設し、それらの通過を管理するようにしている。
ところで、赤外線通信用発光器を配設する天井高さは、事務所においては約２０００〜２５００ｍｍ程度であり、タグの受信高さは、人に着用する高さとなり、これは人の身長等により多少異なるが、大体１２００ｍｍ程度であり、この高さ位置のタグが受光するには、天井面に取り付ける赤外線通信用発光器の赤外線照射範囲は、±２５度以上の照射範囲が必要である。
【００１０】
また、赤外線通信用発光器に複数個の赤外線ＬＥＤを使用する場合、従来は、図３に示すように、赤外線ＬＥＤ単体で配光範囲が狭いものを使用する必要があり、広角での赤外線通信範囲にするためには、その配光角度毎に赤外線ＬＥＤを配置する必要があり、構造が複雑となるという問題点がある。
これに対し、本発明では、図４に示すように、赤外線ＬＥＤ単体で配光範囲が広いものを使用することで、赤外線の照射範囲を広くする一方、平板フィルタの特性を利用することで、照射範囲を限定するようにしている。
【実施例１】
【００１１】
図１〜図２に、本発明の赤外線通信用発光器の一実施例を示す。
実施例における赤外線通信用発光器は、その形状を円盤形とした。この赤外線通信用発光器の外箱１は、表面すなわち赤外線ＬＥＤ３の取付側に、赤外線を透過するようにした平板フィルタ５を着脱自在に取り付け可能とし、さらにこの外箱１内には、円板を４つ割とした形状の４枚の取付板２を図２（Ａ）に示すように、その直線の割線部を互いにつき合わせるようにしてビス４にて取り付けられるようにする。
【００１２】
この円板を４つ割とした形状の取付板２には、図２に示すように、赤外線ＬＥＤ単体での照射角度が半値角±２０度を超える特性をもった複数個の赤外線ＬＥＤ３を取り付ける。
この場合、各赤外線ＬＥＤ３は取付板２の表面に対しほぼ直角となり、各赤外線ＬＥＤ３は平行するようにして取り付けるとともに、各赤外線ＬＥＤ３のアノード側Ａを赤外線通信用発光器の内側になるように配置する。
【００１３】
このように、赤外線ＬＥＤ単体での照射角度が±２０度以上の赤外線ＬＥＤを使用し、かつ４方向に配光させることで、±４０度以上の配光特性が得られ、この赤外線通信用発光器の表面に取り付けた平板フィルタ５の反射による透過特性を利用することで、約±３８度の配光特性を得ることができる。
また、平板フィルタ５の材質を変更することにより、屈折率がかわり、配光特性を任意の特性とすることができる。
【００１４】
かくして、本実施例の赤外線通信用発光器は、半値角±２０度以上の配光特性を有する複数の赤外線ＬＥＤ３を、該赤外線ＬＥＤ全体での赤外線照射角度が±４０度以上となるように外箱１内に配設するとともに、該外箱１の前面に、±４０度を超える照射角度の赤外線を反射し透過光量を減衰するフィルタ５を配設することから、内蔵している赤外線ＬＥＤ全体での赤外線照射角度が±４０度を超えても、前面のフィルタ５により約±４０度の範囲に絞って赤外線通信範囲を限定することができ、これにより、赤外線ＬＥＤ３の取付角度の誤差による影響を少なくするとともに、赤外線ＬＥＤ単品の配光特性の影響も少なくすることができ、また、前記フィルタ５の透過特性により、赤外線通信範囲が環境光による影響を受けにくくし、さらに赤外線通信用発光器の構造を簡単にすることができる。
【００１５】
以上、本発明の赤外線通信用発光器について、その実施例に基づいて説明したが、本発明は上記実施例に記載した構成に限定されるものではなく、その趣旨を逸脱しない範囲において適宜その構成を変更することができる。
【産業上の利用可能性】
【００１６】
本発明の赤外線通信用発光器は、環境光により赤外線通信範囲が影響されにくい配光を特定し、赤外線通信範囲を限定するという特性を有していることから、例えば、入退場の管理や防犯の用途に好適に用いることができる。
【図面の簡単な説明】
【００１７】
【図１】本発明の赤外線通信用発光器の一実施例を示し、（Ａ）は断面図、（Ｂ）は平面図である。
【図２】複数の赤外線ＬＥＤを配列した基板を示し、（Ａ）は４枚の基板を合わせた状態の平面図、（Ｂ）は２枚の基板の正面図、（Ｃ）は同平面図である。
【図３】配光特性が±８度の狭い赤外線ＬＥＤを使用した場合についての、フィルタの反射に伴う角度と減衰の関係を示すグラフである。
【図４】配光特性が±２１度の広い赤外線ＬＥＤを使用した場合についての、フィルタの反射に伴う角度と減衰の関係を示すグラフである。
【図５】赤外線ＬＥＤの配置例における相対強度を示す説明図である。
【図６】赤外線ＬＥＤによる受信可能照度を示すグラフである。
【符号の説明】
【００１８】
１    外箱
２    取付板
３    赤外線ＬＥＤ
４    ビス
５    フィルタ
【図１】
2006238253.tif 000003
【図２】
2006238253.tif 000004
【図３】
2006238253.tif 000005
【図４】
2006238253.tif 000006
【図６】
2006238253.tif 000007
【図５】
2006238253.tif 000008